(57)【要約】  噛合時のスライドファスナーの柔軟性を確保することができ、スライドファスナーの意匠性を高めることができるスライドファスナーを提供する。  ファスナーエレメント列１４の各々は、複数のファスナーエレメント１５から構成され、ファスナーエレメント１５は、噛合時において、テープ部材１２の上下方向において独立して配置され、ファスナーエレメント１５は、テープ部材１２の表側に配置される意匠部１６と、テープ部材１２の裏側に配置され、隣り合うファスナーエレメント１５と噛合する噛合部１７と、を有し、意匠部１６は、噛合時において、隣り合う意匠部１６と離間して配置され、湾曲形状を有する。
2011039868.tif 000002
【特許請求の範囲】
【請求項１】
左右方向に平行に配置される一対のテープ部材（１２）と、
前記一対のテープ部材の対向するテープ側縁部（１３）に取り付けられる一対のファスナーエレメント列（１４）と、
前記一対のファスナーエレメント列が挿通され、前記一対のファスナーエレメント列を噛合・分離させるスライダー（３０）と、を備えるスライドファスナー（１０）であって、
前記ファスナーエレメント列の各々は、複数のファスナーエレメント（１５）から構成され、
前記ファスナーエレメントは、噛合時において、前記テープ部材の上下方向において独立して配置され、
前記ファスナーエレメントは、前記テープ部材の表側に配置される意匠部（１６）と、前記テープ部材の裏側に配置され、隣り合う前記ファスナーエレメントと噛合する噛合部（１７）と、を有し、
前記意匠部は、噛合時において、隣り合う前記意匠部と離間して配置され、
前記ファスナーエレメントの先端部、且つ前記意匠部と前記噛合部との間に、噛合時において、相手側の前記テープ部材の前記テープ側縁部を収納するテープ収納溝（１９）が形成され、
前記意匠部は、湾曲形状を有することを特徴とするスライドファスナー。
【請求項２】
前記意匠部（１６）は、前記意匠部の左右方向中心線（ＨＬ）を基準として上下対称、且つ上下方向中心線（ＶＬ）を基準として左右対称の形状を有することを特徴とする請求項１に記載のスライドファスナー。
【請求項３】
前記意匠部（１６）の左右両側面（１６ｃ）は、前記ファスナーエレメント（１５）の左右方向中心線（ＨＬ）から上下方向に漸次湾曲する湾曲面によって形成されることを特徴とする請求項１に記載のスライドファスナー。
【請求項４】
前記噛合部（１７）は、前記テープ部材（１２）に取り付けられる基部（２１）と、前記基部から相手側の前記テープ部材に向けて延設され、前記テープ収納溝（１９）が形成される噛合頭部（２２）と、前記基部と前記噛合頭部との間に形成される首部（２３）と、を有し、
前記噛合頭部は、上下方向に突出する係合部（２６）を有し、
前記係合部は、前記意匠部（１６）の上下端（１６ａ，１６ｂ）より上下方向にそれぞれ突出する第１係合部（２４）と、前記第１係合部と連続して、前記意匠部の上下端より凹状に形成される第２係合部（２５）と、を有し、
前記一対のファスナーエレメント列（１４）が直線状に噛み合った状態において、前記第１係合部の上下方向の長さ（Ｌ１）は、互いに隣り合う前記意匠部間の隙間（Ｓ１）の上下方向の長さ（Ｌ２）より短く設定されることを特徴とする請求項１に記載のスライドファスナー。
【請求項５】
前記第１係合部（２４）は、前記ファスナーエレメント（１５）の表裏方向中心線（ＤＬ）よりも前記意匠部（１６）側に延びて形成されることを特徴とする請求項４に記載のスライドファスナー。
【請求項６】
前記第２係合部（２５）は、前記ファスナーエレメント（１５）の表裏方向中心線（ＤＬ）の近傍から前記噛合部（１７）の裏側端部に亘って形成されることを特徴とする請求項４又は５に記載のスライドファスナー。
【請求項７】
前記噛合頭部（２２）の上下面（２２ａ，２２ｂ）は、前記首部（２３）から前記噛合頭部の左右方向の外端部（２２ｃ）に向けて漸次幅狭になる傾斜面によって形成されることを特徴とする請求項４に記載のスライドファスナー。
【請求項８】
前記基部（２１）の上下面（２１ａ，２１ｂ）は、前記首部（２３）から前記基部の左右方向の外端部（２１ｃ）に向けて漸次幅広になる傾斜面によって形成されることを特徴とする請求項４又は７に記載のスライドファスナー。
【請求項９】
前記第１係合部（２４）は、前記テープ収納溝（１９）の前記意匠部（１６）側の端部より表裏方向内側に形成されることを特徴とする請求項５に記載のスライドファスナー。
【請求項１０】
前記意匠部（１６）は、半球形状を有することを特徴とする請求項１に記載のスライドファスナー。
【発明の詳細な説明】
【技術分野】
【０００１】
この発明は、スライドファスナーに関し、詳細には、優れた意匠性を有するスライドファスナーに関する。
【背景技術】
【０００２】
従来、ファスナーエレメントの前面側の外形形状を、ボタンやフックなどと類似の形状として、装飾機能を持たせるようにしたスライドファスナーが開示されている（例えば、特許文献１、２参照）。上記特許文献１に記載のスライドファスナーは、ファスナーエレメントが、略矩形状の前部分と、歯部分及びこの歯部分に噛合する凹部が設けられた後部分とを備え、前部分に装飾性を付与したものである。また、上記特許文献２に記載のスライドファスナーは、ファスナーエレメントの前部分及び後部分が略きのこ形の同一形状に形成されており、前面に模造宝石などを配置して装飾性が与えられている。
【先行技術文献】
【特許文献】
【０００３】
【特許文献１】日本国特開昭４９−１３４０号公報
【特許文献２】米国特許第５５１１２９２号明細書
【発明の概要】
【発明が解決しようとする課題】
【０００４】
しかしながら、上記特許文献１に記載のスライドファスナーでは、ファスナーエレメントが略矩形で角張った形状となっているため、左右のファスナーエレメントが噛合して直線状に配置された状態では、スライドファスナーが曲り難く、柔軟性に乏しいという問題があった。また、上記特許文献２に記載のスライドファスナーでは、ファスナーエレメントの前面側も、エレメント形状である略きのこ形となっているため、意匠性が低いという問題があった。【０００５】
本発明は、前述した課題に鑑みてなされたものであり、その目的は、噛合時のスライドファスナーの柔軟性を確保することができ、スライドファスナーの意匠性を高めることができるスライドファスナーを提供することにある。
【課題を解決するための手段】
【０００６】
本発明の上記目的は、下記の構成により達成される。
（１）左右方向に平行に配置される一対のテープ部材と、一対のテープ部材の対向するテープ側縁部に取り付けられる一対のファスナーエレメント列と、一対のファスナーエレメント列が挿通され、一対のファスナーエレメント列を噛合・分離させるスライダーと、を備えるスライドファスナーであって、ファスナーエレメント列の各々は、複数のファスナーエレメントから構成され、ファスナーエレメントは、噛合時において、テープ部材の上下方向において独立して配置され、ファスナーエレメントは、テープ部材の表側に配置される意匠部と、テープ部材の裏側に配置され、隣り合うファスナーエレメントと噛合する噛合部と、を有し、意匠部は、噛合時において、隣り合う意匠部と離間して配置され、ファスナーエレメントの先端部、且つ意匠部と噛合部との間に、噛合時において、相手側のテープ部材のテープ側縁部を収納するテープ収納溝が形成され、意匠部は、湾曲形状を有することを特徴とするスライドファスナー。
（２）意匠部は、意匠部の左右方向中心線を基準として上下対称、且つ上下方向中心線を基準として左右対称の形状を有することを特徴とする（１）に記載のスライドファスナー。
（３）意匠部の左右両側面は、ファスナーエレメントの左右方向中心線から上下方向に漸次湾曲する湾曲面によって形成されることを特徴とする（１）に記載のスライドファスナー。
（４）噛合部は、テープ部材に取り付けられる基部と、基部から相手側のテープ部材に向けて延設され、テープ収納溝が形成される噛合頭部と、基部と噛合頭部との間に形成される首部と、を有し、噛合頭部は、上下方向に突出する係合部を有し、係合部は、意匠部の上下端より上下方向にそれぞれ突出する第１係合部と、第１係合部と連続して、意匠部の上下端より凹状に形成される第２係合部と、を有し、一対のファスナーエレメント列が直線状に噛み合った状態において、第１係合部の上下方向の長さは、互いに隣り合う意匠部間の隙間の上下方向の長さより短く設定されることを特徴とする（１）に記載のスライドファスナー。
（５）第１係合部は、ファスナーエレメントの表裏方向中心線よりも意匠部側に延びて形成されることを特徴とする（４）に記載のスライドファスナー。
（６）第２係合部は、ファスナーエレメントの表裏方向中心線の近傍から噛合部の裏側端部に亘って形成されることを特徴とする（４）又は（５）に記載のスライドファスナー。
（７）噛合頭部の上下面は、首部から噛合頭部の左右方向の外端部に向けて漸次幅狭になる傾斜面によって形成されることを特徴とする（４）に記載のスライドファスナー。
（８）基部の上下面は、首部から基部の左右方向の外端部に向けて漸次幅広になる傾斜面によって形成されることを特徴とする（４）又は（７）に記載のスライドファスナー。
（９）第１係合部は、テープ収納溝の意匠部側の端部より表裏方向内側に形成されることを特徴とする（５）に記載のスライドファスナー。
（１０）意匠部は、半球形状を有することを特徴とする（１）に記載のスライドファスナー。
【発明の効果】
【０００７】
本発明のスライドファスナーによれば、ファスナーエレメントは、噛合時において、テープ部材の上下方向において独立して配置され、ファスナーエレメントは、テープ部材の表側に配置される意匠部と、テープ部材の裏側に配置され、隣り合うファスナーエレメントと噛合する噛合部と、を有し、意匠部は、噛合時において、隣り合う意匠部と離間して配置され、湾曲形状を有するため、噛合時のスライドファスナーの柔軟性を確保することができ、スライドファスナーの意匠性を高めることができる。【０００８】
また、本発明のスライドファスナーによれば、意匠部は、意匠部の上下方向中心を通り左右方向に延びる中心線（以後、「左右方向中心線」と称する）を基準として上下対称、且つ左右方向中心を通り上下方向に延びる中心線（以後、「上下方向中心線」と称する）を基準として左右対称の形状を有するため、意匠部がバランスのとれた形状となり、意匠部の意匠性を高めることができる。
【図面の簡単な説明】
【０００９】
【図１】本発明に係るスライドファスナーを表面側から見た表面図である。
【図２】図１に示すスライドファスナーのスライダーの周辺の拡大断面図である。
【図３】ファスナーエレメントを裏面側から見た拡大裏面図である。
【図４】ファスナーエレメントを表面側から見た斜視図である。
【図５】ファスナーエレメントを裏面側から見た斜視図である。
【図６】図３のＡ−Ａ線矢視断面図である。
【図７】図６のＢ‐Ｂ線矢視断面図である。
【図８】噛合状態のスライドファスナーを裏側に凸の状態に湾曲させた場合の図７相当の断面図である。
【図９】噛合状態のスライドファスナーを表側に凸の状態に湾曲させた場合の図７相当の断面図である。
【図１０】噛合状態のスライドファスナーを左右方向に湾曲させた状態の裏面図である。
【図１１】本発明に係るスライドファスナーの変形例を示す図であり、（ａ）はファスナーエレメントの表面図、（ｂ）はファスナーエレメントを（ａ）の矢印Ｃ方向から見た図である。
【発明を実施するための形態】
【００１０】
以下、本発明に係るスライドファスナーの一実施形態について、図面に基づいて詳細に説明する。
【００１１】
本実施形態のスライドファスナー１０は、図１に示すように、ファスナーストリンガー１１と、スライダー３０と、を備える。ファスナーストリンガー１１は、左右方向に平行に配置される左右一対のテープ部材１２と、左右一対のテープ部材１２の対向するテープ側縁部１３に取り付けられる左右一対のファスナーエレメント列１４と、を備える。そして、スライダー３０をファスナーストリンガー１１の長手方向に移動させることにより、左右一対のファスナーエレメント列１４が噛合・分離される。
【００１２】
ファスナーエレメント列１４の各々は、複数のファスナーエレメント１５から構成されており、このファスナーエレメント１５は、例えば、ポリアミド、ポリアセタール、ポリプロピレン、ポリブチレンテレフタレートなどの合成樹脂を用いて、テープ部材１２のテープ側縁部１３に射出成形されている。
【００１３】
スライダー３０は、図１及び図２に示すように、表裏方向に離間して平行配置される上翼板３１及び下翼板３２と、上翼板３１及び下翼板３２の左右両側縁に沿って設けられる左右一対のフランジ３３と、上翼板３１及び下翼板３２を前端部において連結する案内柱３４と、上翼板３１の上面に設けられる引手取付部３５と、引手取付部３５に回動自在に取り付けられる不図示の引手と、を備える。これにより、スライダー３０の前部には案内柱３４により分離された左右の肩口３６が形成され、スライダー３０の後部には後口３７が形成される。そして、上翼板３１と下翼板３２との間には、左右の肩口３６と後口３７とを連通する略Ｙ字状のエレメント案内路３８が設けられており、このエレメント案内路３８は、左右一対のファスナーエレメント列１４を挿通させる通路を構成する。
【００１４】
なお、以後の説明において、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とし、図面に表側をＨｓ、裏側をＢｓ、上側をＵ、下側をＤ、左側をＬ，右側をＲとして示す。
【００１５】
図２〜図６に示すように、ファスナーエレメント１５は、テープ部材１２の表側に配置される意匠部１６と、テープ部材１２の裏側に配置され、隣り合うファスナーエレメント１５と噛合する噛合部１７と、を有する。また、意匠部１６と噛合部１７との間（表裏方向の中間部）の一方の側部には、テープ側縁部１３を挿通固定するテープ固定溝１８が上下方向に沿って形成され、他方の側部、即ち、噛合頭部２２側の側部には、相手側のテープ部材１２のテープ側縁部１３を収納する略Ｕ字状のテープ収納溝１９が上下方向に沿って形成されている。また、意匠部１６は、噛合時において、隣り合う意匠部１６と離間して配置されている。
【００１６】
意匠部１６は、図２〜図７に示すように、表方向視において、意匠部１６の左右方向中心線ＨＬを基準として上下対称、且つ上下方向中心線ＶＬを基準として左右対称の略長円形状に形成されると共に、上下方向視及び左右方向視において、全体的に湾曲した略半球形状に形成される。これにより、左右一対のファスナーエレメント列１４が噛合したとき、複数のファスナーエレメント１５は、テープ部材１２の上下方向において独立して配置される。なお、意匠部１６は、表側から見たときのデザイン性に優れ、角部がなく、スライドファスナー１０の柔軟性を確保できる形状であればよく、円形状や楕円形状などの任意の形状とすることが可能である。また、意匠部１６の左右両側面１６ｃ，１６ｃは、左右方向中心線ＨＬから上下方向に漸次湾曲する湾曲面によって形成されている。
【００１７】
噛合部１７は、図３及び図５に示すように、テープ部材１２に取り付けられる基部２１と、基部２１から相手側のテープ部材１２に向けて延設され、テープ収納溝１９が形成される噛合頭部２２と、基部２１と噛合頭部２２との間に形成される噛合頭部２２よりも上下方向において幅狭な首部２３と、を備える。また、噛合部１７の左右両側面２１ｃ，２２ｃは、左右方向中心線ＨＬから上下方向に漸次湾曲する湾曲面によって形成されている。
【００１８】
また、噛合部１７は、意匠部１６の上端１６ａ及び下端１６ｂより上下方向にそれぞれ突出する第１係合部２４と、第１係合部２４と連続し意匠部１６の上下端１６ａ，１６ｂより凹状に形成される第２係合部２５と、からなる係合部２６が上下方向に突出して形成されている。また、本実施形態では、第１係合部２４の上下方向の長さＬ１は、左右一対のファスナーエレメント列１４が直線状に噛み合った状態において、互いに隣り合う意匠部１６間の隙間Ｓ１の上下方向の長さＬ２より短く設定されている。換言すれば、第１係合部２４の上下方向の長さＬ１は、隣り合うファスナーエレメント１５の意匠部１６の上下端１６ａ，１６ｂに接触しない長さに設定されている。また、第１係合部２４の上下端と隣り合うファスナーエレメント１５の第２係合部２５の起立部（第２係合部２５と首部２３との境界）との間には隙間Ｓ２が形成されている。
【００１９】
また、図５及び図６に示すように、第１係合部２４は、ファスナーエレメント１５の表裏方向中心線ＤＬよりも意匠部１６側に延びて形成され、且つテープ収納溝１９の意匠部１６側の端面より表裏方向内側に形成される。また、第２係合部２５は、ファスナーエレメント１５の表裏方向中心線ＤＬの近傍から噛合部１７の裏側端部に亘って形成されている。
【００２０】
また、図３、図５、及び図６に示すように、噛合頭部２２の上下面２２ａ，２２ｂは、首部２３から噛合頭部２２の左右方向の外端部２２ｃに向けて漸次幅狭になる傾斜面によって形成されている。また、基部２１の上下面２１ａ，２１ｂは、首部２３から基部２１の左右方向の外端部２１ｃに向けて漸次幅広になる傾斜面によって形成されている。そして、基部２１の上下面２１ａ，２１ｂは、外端部２１ｃから首部２３に向けて漸次幅広となる湾曲面によって形成され、つまり、上下面２１ａ，２１ｂは、裏方向視において略円弧状の湾曲面を成す。
【００２１】
このように構成されたスライドファスナー１０では、意匠部１６が、表方向視において、意匠部１６の左右方向中心線ＨＬを基準として上下対称、且つ上下方向中心線ＶＬを基準として左右対称の略長円形状に形成されるので、スライドファスナー１０の柔軟性が確保されると共に、スライドファスナー１０の意匠性が高められる。また、スライダー３０のエレメント案内路３８に挿通される時も、肩口３６側の開口部で引っ掛かることがないので、スライダー３０の摺動性も確保される。
【００２２】
また、意匠部１６が、上下方向視及び左右方向視において、全体的に湾曲した略半球形状に形成されているため、図８に示すように、スライドファスナー１０を裏側に凸の状態に湾曲させたとしても、隣り合う意匠部１６同士がすぐに干渉することがないので、スライドファスナー１０の柔軟性が高められる。また、互いに隣り合うファスナーエレメント１５間に隙間Ｓ１が設けられるため、スライドファスナー１０の柔軟性が更に高められる。
【００２３】
また、スライドファスナー１０を裏側に凸の状態に湾曲させたとしても、ファスナーエレメント１５の表裏方向中心線ＤＬよりも意匠部１６側に延びて形成された第１係合部２４が互いに係合するので、左右一対のファスナーエレメント列１４の係合を維持しつつ、スライドファスナー１０の柔軟性が高められる。また、図８に見られる位置よりも裏側に凸の状態に湾曲させようとしても、今後は隣り合う意匠部１６の上下湾曲面が当接し、それ以上の屈曲を防止する。このように、意匠部１６の表面から上下面の間に形成された湾曲面同士が当接するので、一定以上湾曲させたとしても、ファスナーエレメント列１４の係合を維持しつつ、スライドファスナー１０の柔軟性を確保している。
【００２４】
また、図９に示すように、スライドファスナー１０を表側に凸の状態に湾曲させると、隙間Ｓ２が設けられるため、スライドファスナー１０の柔軟性を確保でき、また、直線状に噛合している状態では係合に寄与していなかった第２係合部２５が互いに係合して、係合部２６の係合面積が広くなるので、左右一対のファスナーエレメント列１４の係合が強固になる。
【００２５】
また、噛合頭部２２の上下面２２ａ，２２ｂが、首部２３から噛合頭部２２の左右方向の外端部２２ｃに向けて漸次幅狭になる傾斜面によって形成され、第１係合部２４の上下端と隣り合うファスナーエレメント１５の第２係合部２５の起立部との間に隙間Ｓ２が形成されるので、図１０に示すように、スライドファスナー１０を左右方向に湾曲させたとしても、隣り合う噛合部１７同士がすぐに干渉することがないので、スライドファスナー１０の柔軟性が高められる。
【００２６】
以上説明したように、本実施形態のスライドファスナー１０によれば、ファスナーエレメント１５は、噛合時において、テープ部材１２の上下方向において独立して配置され、ファスナーエレメント１５は、テープ部材１２の表側に配置される意匠部１６と、テープ部材１２の裏側に配置され、隣り合うファスナーエレメント１５と噛合する噛合部１７と、を有し、この意匠部１６が、噛合時において、隣り合う意匠部１６と離間して配置され、略長円形状を有するため、スライドファスナー１０の柔軟性を確保することができると共に、スライドファスナー１０の意匠性を高めることができる。
【００２７】
また、本実施形態のスライドファスナー１０によれば、意匠部１６が、意匠部１６の左右方向中心線ＨＬを基準として上下対称、且つ上下方向中心線ＶＬを基準として左右対称の略長円形状に形成されるため、意匠部１６がバランスのとれた形状となり、意匠部１６の意匠性を更に高めることができる。
【００２８】
また、本実施形態のスライドファスナー１０によれば、意匠部１６が、上下方向視及び左右方向視において、全体的に湾曲した略半球形状に形成されているため、スライドファスナー１０を裏側に凸の状態に湾曲させたとしても、隣り合う意匠部１６同士が干渉することがないので、スライドファスナー１０の柔軟性を高めることができる。また、互いに隣り合うファスナーエレメント１５間に隙間Ｓ１が設けられるため、スライドファスナー１０の柔軟性を更に高めることができる。
【００２９】
また、本実施形態のスライドファスナー１０によれば、第１係合部２４が、ファスナーエレメント１５の表裏方向中心線ＤＬよりも意匠部１６側に延びて形成されるため、スライドファスナー１０を裏側に凸の状態に湾曲させたとしても、第１係合部２４同士の係合が解除されることはないので、左右一対のファスナーエレメント列１４の係合を維持しつつ、スライドファスナー１０の柔軟性を高めることができる。
【００３０】
また、本実施形態のスライドファスナー１０によれば、第２係合部２５が、ファスナーエレメント１５の表裏方向中心線ＤＬの近傍から噛合部１７の裏側端部に亘って形成され、第１係合部２４の上下端と隣り合うファスナーエレメント１５の第２係合部２５の起立部との間に隙間Ｓ２が形成されるため、スライドファスナー１０を表側に凸の状態に湾曲させた場合、直線状に噛合している状態では係合に寄与していなかった第２係合部２５が互いに係合して、係合部２６の係合面積が広くなるので、左右一対のファスナーエレメント列１４の係合を強固にしつつ、柔軟性を高めることができる。
【００３１】
また、本実施形態のスライドファスナー１０によれば、噛合頭部２２の上下面２２ａ，２２ｂが、首部２３から噛合頭部２２の左右方向の外端部２２ｃに向けて漸次幅狭になる傾斜面によって形成され、第１係合部２４の上下端と隣り合うファスナーエレメント１５の第２係合部２５の起立部との間に隙間Ｓ２が形成されるため、スライドファスナー１０を左右方向に湾曲させたとしても、隣り合う噛合部１７同士が干渉することがないので、スライドファスナー１０の柔軟性を高めることができる。
【００３２】
また、本実施形態のスライドファスナー１０によれば、ファスナーエレメント１５の意匠部１６の左右両側面１６ｃ，１６ｃ及び噛合部１７の左右両側面２１ｃ，２２ｃが半円状の湾曲面によって形成されるため、ファスナーエレメント１５がスライダー３０のエレメント案内路３８に入り込み易い。これにより、スライダー３０を少ない力で操作することができるので、スライドファスナー１０の開閉を容易にすることができる。
【００３３】
なお、本発明は、スライドファスナー１０の柔軟性を確保するために、意匠部１６のうち少なくともテープ接触面から意匠部１６の表側頂点（意匠部１６における左右方向中心線ＨＬと上下方向中心線ＶＬとの交点）に向けた湾曲面が少なくともテープ接触面側から形成されてあればよく、例えば、図１１に示す変形例のように、ファスナーエレメント１５の意匠部１６に、テープ部材１２と平行な平坦部２８を形成するようにしてもよい。これにより、ファスナーエレメント１５に上記実施形態と異なる意匠を付与することができる。
【符号の説明】
【００３４】
１０    スライドファスナー
１２    テープ部材
１３    テープ側縁部
１４    ファスナーエレメント列
１５    ファスナーエレメント
１６    意匠部
１６ａ  意匠部の上端
１６ｂ  意匠部の下端
１６ｃ  意匠部の左右方向の側面
１７    噛合部
１９    テープ収納溝
２１    基部
２１ａ  基部の上面
２１ｂ  基部の下面
２１ｃ  基部の左右方向の外端部（側面）
２２    噛合頭部
２２ａ  噛合頭部の上面
２２ｂ  噛合頭部の下面
２２ｃ  噛合頭部の左右方向の外端部（側面）
２３    首部
２４    第１係合部
２５    第２係合部
２６    係合部
３０    スライダー
Ｓ１    隙間
Ｓ２    隙間
ＨＬ  ファスナーエレメントの左右方向中心線
ＶＬ  ファスナーエレメントの上下方向中心線
ＤＬ  ファスナーエレメントの表裏方向中心線
Ｌ１  第１係合部の上下方向の長さ
Ｌ２  意匠部間の隙間の上下方向の長さ
【図１】
2011039868.tif 000003
【図２】
2011039868.tif 000004
【図３】
2011039868.tif 000005
【図４】
2011039868.tif 000006
【図５】
2011039868.tif 000007
【図６】
2011039868.tif 000008
【図７】
2011039868.tif 000009
【図８】
2011039868.tif 000010
【図９】
2011039868.tif 000011
【図１０】
2011039868.tif 000012
【図１１】
2011039868.tif 000013
【手続補正書】
【提出日】平成24年1月30日(2012.1.30)
【手続補正１】
【補正対象書類名】特許請求の範囲
【補正対象項目名】請求項５
【補正方法】変更
【補正の内容】
【請求項５】
前記第１係合部（２４）は、前記テープ部材（１２）の表裏方向中心線（ＤＬ）よりも前記意匠部（１６）側に延びて形成されることを特徴とする請求項４に記載のスライドファスナー。
【手続補正２】
【補正対象書類名】特許請求の範囲
【補正対象項目名】請求項６
【補正方法】変更
【補正の内容】
【請求項６】
前記第２係合部（２５）は、前記テープ部材（１２）の表裏方向中心線（ＤＬ）の近傍から前記噛合部（１７）の裏側端部に亘って形成されることを特徴とする請求項４又は５に記載のスライドファスナー。
【手続補正３】
【補正対象書類名】明細書
【補正対象項目名】０００６
【補正方法】変更
【補正の内容】
【０００６】
本発明の上記目的は、下記の構成により達成される。
（１）左右方向に平行に配置される一対のテープ部材と、一対のテープ部材の対向するテープ側縁部に取り付けられる一対のファスナーエレメント列と、一対のファスナーエレメント列が挿通され、一対のファスナーエレメント列を噛合・分離させるスライダーと、を備えるスライドファスナーであって、ファスナーエレメント列の各々は、複数のファスナーエレメントから構成され、ファスナーエレメントは、噛合時において、テープ部材の上下方向において独立して配置され、ファスナーエレメントは、テープ部材の表側に配置される意匠部と、テープ部材の裏側に配置され、隣り合うファスナーエレメントと噛合する噛合部と、を有し、意匠部は、噛合時において、隣り合う意匠部と離間して配置され、ファスナーエレメントの先端部、且つ意匠部と噛合部との間に、噛合時において、相手側のテープ部材のテープ側縁部を収納するテープ収納溝が形成され、意匠部は、湾曲形状を有することを特徴とするスライドファスナー。
（２）意匠部は、意匠部の左右方向中心線を基準として上下対称、且つ上下方向中心線を基準として左右対称の形状を有することを特徴とする（１）に記載のスライドファスナー。
（３）意匠部の左右両側面は、ファスナーエレメントの左右方向中心線から上下方向に漸次湾曲する湾曲面によって形成されることを特徴とする（１）に記載のスライドファスナー。
（４）噛合部は、テープ部材に取り付けられる基部と、基部から相手側のテープ部材に向けて延設され、テープ収納溝が形成される噛合頭部と、基部と噛合頭部との間に形成される首部と、を有し、噛合頭部は、上下方向に突出する係合部を有し、係合部は、意匠部の上下端より上下方向にそれぞれ突出する第１係合部と、第１係合部と連続して、意匠部の上下端より凹状に形成される第２係合部と、を有し、一対のファスナーエレメント列が直線状に噛み合った状態において、第１係合部の上下方向の長さは、互いに隣り合う意匠部間の隙間の上下方向の長さより短く設定されることを特徴とする（１）に記載のスライドファスナー。
（５）第１係合部は、テープ部材の表裏方向中心線よりも意匠部側に延びて形成されることを特徴とする（４）に記載のスライドファスナー。
（６）第２係合部は、テープ部材の表裏方向中心線の近傍から噛合部の裏側端部に亘って形成されることを特徴とする（４）又は（５）に記載のスライドファスナー。
（７）噛合頭部の上下面は、首部から噛合頭部の左右方向の外端部に向けて漸次幅狭になる傾斜面によって形成されることを特徴とする（４）に記載のスライドファスナー。
（８）基部の上下面は、首部から基部の左右方向の外端部に向けて漸次幅広になる傾斜面によって形成されることを特徴とする（４）又は（７）に記載のスライドファスナー。
（９）第１係合部は、テープ収納溝の意匠部側の端部より表裏方向内側に形成されることを特徴とする（５）に記載のスライドファスナー。
（１０）意匠部は、半球形状を有することを特徴とする（１）に記載のスライドファスナー。
【手続補正４】
【補正対象書類名】明細書
【補正対象項目名】００１９
【補正方法】変更
【補正の内容】
【００１９】
また、図５及び図６に示すように、第１係合部２４は、テープ部材１２の表裏方向中心線ＤＬよりも意匠部１６側に延びて形成され、且つテープ収納溝１９の意匠部１６側の端面より表裏方向内側に形成される。また、第２係合部２５は、テープ部材１２の表裏方向中心線ＤＬの近傍から噛合部１７の裏側端部に亘って形成されている。
【手続補正５】
【補正対象書類名】明細書
【補正対象項目名】００２３
【補正方法】変更
【補正の内容】
【００２３】
また、スライドファスナー１０を裏側に凸の状態に湾曲させたとしても、テープ部材１２の表裏方向中心線ＤＬよりも意匠部１６側に延びて形成された第１係合部２４が互いに係合するので、左右一対のファスナーエレメント列１４の係合を維持しつつ、スライドファスナー１０の柔軟性が高められる。また、図８に見られる位置よりも裏側に凸の状態に湾曲させようとしても、今後は隣り合う意匠部１６の上下湾曲面が当接し、それ以上の屈曲を防止する。このように、意匠部１６の表面から上下面の間に形成された湾曲面同士が当接するので、一定以上湾曲させたとしても、ファスナーエレメント列１４の係合を維持しつつ、スライドファスナー１０の柔軟性を確保している。
【手続補正６】
【補正対象書類名】明細書
【補正対象項目名】００２９
【補正方法】変更
【補正の内容】
【００２９】
また、本実施形態のスライドファスナー１０によれば、第１係合部２４が、テープ部材１２の表裏方向中心線ＤＬよりも意匠部１６側に延びて形成されるため、スライドファスナー１０を裏側に凸の状態に湾曲させたとしても、第１係合部２４同士の係合が解除されることはないので、左右一対のファスナーエレメント列１４の係合を維持しつつ、スライドファスナー１０の柔軟性を高めることができる。
【手続補正７】
【補正対象書類名】明細書
【補正対象項目名】００３０
【補正方法】変更
【補正の内容】
【００３０】
また、本実施形態のスライドファスナー１０によれば、第２係合部２５が、テープ部材１２の表裏方向中心線ＤＬの近傍から噛合部１７の裏側端部に亘って形成され、第１係合部２４の上下端と隣り合うファスナーエレメント１５の第２係合部２５の起立部との間に隙間Ｓ２が形成されるため、スライドファスナー１０を表側に凸の状態に湾曲させた場合、直線状に噛合している状態では係合に寄与していなかった第２係合部２５が互いに係合して、係合部２６の係合面積が広くなるので、左右一対のファスナーエレメント列１４の係合を強固にしつつ、柔軟性を高めることができる。
【手続補正８】
【補正対象書類名】明細書
【補正対象項目名】００３４
【補正方法】変更
【補正の内容】
【００３４】
１０    スライドファスナー
１２    テープ部材
１３    テープ側縁部
１４    ファスナーエレメント列
１５    ファスナーエレメント
１６    意匠部
１６ａ  意匠部の上端
１６ｂ  意匠部の下端
１６ｃ  意匠部の左右方向の側面
１７    噛合部
１９    テープ収納溝
２１    基部
２１ａ  基部の上面
２１ｂ  基部の下面
２１ｃ  基部の左右方向の外端部（側面）
２２    噛合頭部
２２ａ  噛合頭部の上面
２２ｂ  噛合頭部の下面
２２ｃ  噛合頭部の左右方向の外端部（側面）
２３    首部
２４    第１係合部
２５    第２係合部
２６    係合部
３０    スライダー
Ｓ１    隙間
Ｓ２    隙間
ＨＬ  ファスナーエレメントの左右方向中心線
ＶＬ  ファスナーエレメントの上下方向中心線
ＤＬ  テープ部材の表裏方向中心線
Ｌ１  第１係合部の上下方向の長さ
Ｌ２  意匠部間の隙間の上下方向の長さ
【国際調査報告】
2011039868.tif 000014
2011039868.tif 000015
2011039868.tif 000016
2011039868.tif 000017